(57)【要約】      （修正有）【課題】本体が耐高温性に優れ、発熱体の発熱温度が制限されず、好ましい暖房効果を提供することができると共に、強度が好ましく、破損しにくい電気ヒータ装置を提供する。【解決手段】電気ヒータ装置は、本体１、パネル２、横流ファン３、モータ４及び発熱体５を含む。本体１はアルミニウム押出部材であり、底板１１と前板１２とを有する。底板１１と前板１２との間には、吹出口が形成されている。パネル２は本体１に設けられ、パネル２には複数の吸込口２１が設けられている。横流ファン３は、本体１の内部に回転可能に設けられる。モータ４は、本体１に設けられ、横流ファン３に接続される。発熱体５は、本体１の内部に設けられる。これにより、本体１は耐高温性に優れ、発熱体５の発熱温度は制限されず、好ましい暖房効果を提供することができると共に、強度が好ましく、破損しにくい。【選択図】図１
0003194324.tif 000002
【実用新案登録請求の範囲】
【請求項１】
アルミニウム押出部材であり、底板と前記底板の前方に設けられた前板とを有し、前記底板と前記前板との間に吹出口が形成されている本体と、
前記本体に設けられ、複数の吸込口が設けられているパネルと、
前記本体の内部に回転可能に設けられた横流ファンと、
前記本体に設けられ、前記横流ファンに接続されるモータと、
前記本体の内部に設けられ、前記吹出口に位置する発熱体と、を備える
ことを特徴とする電気ヒータ装置。
【請求項２】
スライド溝が設けられた掛止板を更に備え、
前記底板の外側には、スライドレール及び凹部空間が形成され、
前記スライドレールと前記スライド溝とが相互に摺動接続される
ことを特徴とする請求項１に記載の電気ヒータ装置。
【請求項３】
前記本体の両端には、それぞれ側板が組み付けられ、
２つの前記側板の外側には、それぞれサイドカバーが組み付けられる
ことを特徴とする請求項１に記載の電気ヒータ装置。
【請求項４】
前記本体の前記吹出口には、複数の貫通孔が設けられると共に、前記本体に係合設置される保護ネットが設けられている
ことを特徴とする請求項１に記載の電気ヒータ装置。
【請求項５】
前記保護ネットの両端には、それぞれ第１の係合部が形成され、
前記底板及び前記前板には、それぞれ第２の係合部が形成され、
前記第１の係合部及び前記第２の係合部が相互に係合される
ことを特徴とする請求項４に記載の電気ヒータ装置。
【請求項６】
前記パネルは、前記本体に係合設置され、
前記パネルの両端には、それぞれ第３の係合部が形成され、
前記底板及び前記前板には、それぞれ第４の係合部が形成され、
前記第３の係合部及び前記第４の係合部が相互に係合される
ことを特徴とする請求項１に記載の電気ヒータ装置。
【請求項７】
前記発熱体は、セラミックヒータである
ことを特徴とする請求項１に記載の電気ヒータ装置。
【請求項８】
前記本体は、スタンドに固定される
ことを特徴とする請求項１に記載の電気ヒータ装置。
【請求項９】
前記本体の内部には、電気制御ボックスと、前記電気制御ボックスの内部に収容されるリモコン基板と、が設けられており、
前記モータ、前記発熱体及び前記リモコン基板が制御回路に電気的に接続される
ことを特徴とする請求項１に記載の電気ヒータ装置。
【請求項１０】
前記底板の外側には、背板が設けられている
ことを特徴とする請求項１に記載の電気ヒータ装置。
【考案の詳細な説明】
【技術分野】
【０００１】
本考案は、電気ヒータ装置に関し、特に暖房効果を提供するための電気ヒータ装置に関する。
【背景技術】
【０００２】
温帯又は寒帯地域に居住する人々は、冬は気温が低くなるため、日常的に電気ヒータによって暖を取る必要がある。従って、電気ヒータは、家庭において必要不可欠な電気製品となっている。一般的な電気ヒータは、多種多様であり、発熱原理の違いによって、石英管方式、ハロゲン方式、カーボン方式、フィン方式、セラミック方式等のタイプの電気ヒータ製品に分けられる。
【０００３】
しかしながら、既存の電気ヒータでは、本体がプラスチック材質からなるものが多いため、耐高温性に難があり、電気ヒータ本体が熱に弱いことから、発熱体の発熱温度も制限され、好ましい暖房効果を提供することができない問題があった。また、既存の電気ヒータでは、同様に本体がプラスチック材質で成形されているものが多いため、強度が弱く、破損しやすい問題もあった。
【考案の概要】
【考案が解決しようとする課題】
【０００４】
本考案は、本体が耐高温性に優れ、発熱体の発熱温度が制限されず、好ましい暖房効果を提供することができると共に、強度が好ましく、破損しにくい電気ヒータ装置を提供することを課題とする。
【課題を解決するための手段】
【０００５】
上述した課題を解決するために、本考案に係る電気ヒータ装置は、アルミニウム押出部材であり、底板と、底板の前方に設けられた前板とを有し、底板と前板との間に吹出口が形成されている本体と、本体に設けられ、複数の吸込口が設けられているパネルと、本体の内部に回転可能に設けられた横流ファンと、本体に設けられ、横流ファンに接続されるモータと、本体の内部に設けられた発熱体と、を備える。
【考案の効果】
【０００６】
本考案は、本体がアルミニウム押出部材であり、耐高温性に優れるため、発熱体の発熱温度が制限されることなく、好ましい暖房効果を提供することができる。
【０００７】
本考案に係る電気ヒータ装置は、使用上の需要に対応して、異なる長さの電気ヒータ装置に組み立てることができるように、モジュール化の構成を採用している。また、本体がアルミニウム押出部材であるため、剛性が十分で、強度が好ましく、破損しにくく、且つ重さが軽く、運送するのに便利である。また本考案は、横流ファンを用いて気流を駆動することで、騒音が発生するのを抑制することもできる。
【０００８】
本考案は、吹出口が本体に設けられ、吸込口がパネルに設けられており、空気の熱対流効果に優れ、より優れた暖房効果を達成することができる。
【０００９】
また、本考案の保護ネットは、本体に係合設置されることができ、パネルも本体に係合設置されることができるため、ネジロックを必要としない効果を達成することができ、分解及び組立に便利である。
【図面の簡単な説明】
【００１０】
【図１】本考案に係る電気ヒータ装置の第１の実施例を示す分解斜視図である。
【図２】本考案に係る電気ヒータ装置の第１の実施例を示す斜視図である。
【図３】本考案に係る電気ヒータ装置の第１の実施例を他の視点から見た斜視図である。
【図４】本考案に係る電気ヒータ装置の第１の実施例を示す正面図である。
【図５】本考案に係る電気ヒータ装置の第１の実施例を示す断面図である。
【図６】本考案に係る電気ヒータ装置の第２の実施例を示す分解斜視図である。
【図７】本考案に係る電気ヒータ装置の第２の実施例を示す斜視図である。
【図８】本考案に係る電気ヒータ装置の第３の実施例を示す分解斜視図である。
【図９】本考案に係る電気ヒータ装置の第３の実施例を示す斜視図である。
【考案を実施するための形態】
【００１１】
＜第１の実施例＞
図１乃至図５に示すように、本考案に係る電気ヒータ装置は、本体１、パネル２、横流ファン３、モータ４及び発熱体５を含む。本体１の長さは制限されず、横流ファン３の長さ及び数に合わせて変更することができる。例えば、１つ又は複数の横流ファン３に合わせて、本体１は異なる長さに形成することができる。本実施例においては、１つの横流ファン３が設けられている。
【００１２】
本体１は、アルミニウム押出部材であり、様々な長さに変更するのに便利である。本体１は、底板１１及び前板１２を有してもよい。底板１１及び前板１２は長尺状を呈している。底板１１及び前板１２は、２つの単独成形の部材であってもよく、一体成形の部材であってもよい。前板１２は、底板１１の前方に設けられる。底板１１と前板１２との間には、吹出口１３が形成されている。
【００１３】
本体１の両端には、それぞれ側板６が組み付けられてもよい。２つの側板６は、ネジロック又は係合等の方式によって本体１の両端に組み付けられる。即ち、２つの側板６は、本体１の底板１１及び前板１２の両端に組み付けられる。２つの側板６の外側には、更にそれぞれサイドカバー７が組み付けられてもよい。２つのサイドカバー７は、ネジロック又は係合等の方式によって２つの側板６の外側に組み付けられる。好ましくは、側板６は金属部材であるが、それに限定されない。サイドカバー７は、プラスチック部材であってもよい。
【００１４】
底板１１の外側には、スライドレール１４が形成されてもよい。電気ヒータ装置は掛止板８を更に含むようにしてもよい。掛止板８は、ネジロック等の方式で建築物の適切な位置に取り付けられる。掛止板８には、スライドレール１４に対応するスライド溝８１が設けられており、スライドレール１４とスライド溝８１とが相互に摺動接続されることができる。これにより、電気ヒータ装置は、掛止板８を用いて建築物に掛止して固定することができる。但し、本考案に係る電気ヒータ装置は、掛止及び固定の方式を制限するものではない。また、底板１１の外側には、ケーブル等を収納することができるように凹部空間１７が形成されてもよい。
【００１５】
本体１の内部には、２つの立板９が更に設けられてもよい。２つの立板９は、ネジロック、リベット又はブラインドリベット等の方式で本体１に設けられる。即ち、２つの立板９は、本体１に固定して設けられてもよく、その固定方式は制限されない。立板９の数も、横流ファン３の数に応じて変更することができる。立板９は、横流ファン３を支持する機能を提供することができる。
【００１６】
本体１の吹出口１３には、保護ネット２０が設けられてもよい。保護ネット２０の構造は制限されず、吸込口グリル又はメッシュ等の形式であってもよい。保護ネット２０は、吹出口１３に被せられ、異物が進入することを防止することで使用上の安全性を向上させることができる。保護ネット２０は、アルミ板をパンチング加工することで成形されてもよい。即ち、保護ネット２０には、複数の貫通孔２０１が設けられている。貫通孔２０１は、円形孔、六角形孔又は方形孔等であってもよいが、貫通孔２０１の形状は制限されない。貫通孔２０１は、小さい間隔で設けることができる。例えば、隣接する２つの貫通孔２０１同士の間の間隔は、吹出される風の風圧抵抗が低くなるように、１ｍｍ未満である。好ましくは、保護ネット２０は、係合方式で本体１に設けられるが、それに制限されない。即ち、保護ネット２０の両端にはそれぞれ第１の係合部２０２が形成されると共に、吹出口１３の両端にはそれぞれ第２の係合部１５が形成される。即ち、底板１１及び前板１２には、それぞれ第２の係合部１５が形成されてもよい。第１の係合部２０２は、係合体又は係合溝等であってもよく、第２の係合部１５は、係合溝又は係合体等であってもよい。第１の係合部２０２及び第２の係合部１５は、保護ネット２０を本体１に係合設置できるようにすると共に保護ネット２０及び本体１の分解及び組立が便利になるように、相互に係合される。
【００１７】
パネル２は、本体１に設けられる。パネル２はプラスチック部材であってもよいが、パネル２の材質は制限されない。パネル２は、構造も制限されず、吸込口グリル又はメッシュ等の形式であってもよく、異物が進入することを防止することで使用上の安全性を向上させることができる。本実施例において、パネル２は吸込口グリルの形式である。パネル２には、複数の長尺状の吸込口２１が設けられている。好ましくは、パネル２は、係合方式で本体１に設けられるが、それに制限されない。即ち、パネル２の両端にはそれぞれ第３の係合部２２が形成されると共に、本体１には２つの第４の係合部１６が設けられている。即ち、底板１１及び前板１２には、それぞれ第４の係合部１６が形成されてもよい。第３の係合部２２は、係合体又は係合溝であってもよく、第４の係合部１６は、係合溝又は係合体等であってもよい。第３の係合部２２及び第４の係合部１６は、パネル２を本体１に係合設置できるようにすると共にパネル２及び本体１の分解及び組立が便利になるように、相互に係合される。パネル２の内側には、空気清浄化の効果を向上させるために、フィルタ２３が更に設けられてもよい。フィルタ２３は、ナノフィルタであってもよい。即ち、フィルタ２３は、より好ましい空気清浄化及び殺菌効果を奏するように、ナノ銀又はその他のフィルタ材からなるものであってよい。
【００１８】
横流ファン３は、プラスチック及びアルミニウム素材を用いてもよいが、それらに制限されない。横流ファン３は、複数の弧形の羽根３１を有する。羽根３１は、間隔を置いて設けられると共に、円柱状に配列される。横流ファン３は、１つ又は複数設けてもよい。本実施例においては、横流ファン３は１つのみ設けられている。横流ファン３は、本体１内に設けられる。横流ファン３が複数設けられている場合、横流ファン３同士を接続することができる。横流ファン３は、立板９に枢支接続されることができる。即ち、横流ファン３は、その中心軸（図略）に軸受部材（図略）を組み合わせることで立板９に枢支接続されることができる。これにより、横流ファン３は、本体１内部に回転可能に設けられる。但し、横流ファン３が本体１内部に枢設される構造は従来技術であるため、ここでは詳しい説明を省略する。
【００１９】
モータ４は、本体１に設けられると共に、横流ファン３に接続される。モータ４は、１つ又は複数設けられてもよい。本実施例において、モータ４は１つのみ設けられる。モータ４は、本体１内に設けられる。モータ４は、ネジロック等の方式により本体１内の例えば立板９に固定される。モータ４は、横流ファン３の回転を駆動することができるように、横流ファン３に接続される。モータ４としては、体積が小さく重量が軽い利点を有する直流ブラシレスモータ又はステッピングモータ等を用いることができる。但し、モータ４の形式は制限されず、その他の形式のモータであってもよい。モータ４は、適切な制御回路３０に電気的に接続されることができる。
【００２０】
発熱体５の形式は制限されず、セラミックヒータ等であってもよい。発熱体５は、本体１内部に設けられると共に、好ましくは吹出口１３に位置する。即ち、発熱体５は、熱を迅速に送り出すことができることで本体１の内部が過熱しないように、吹出口１３の内側に位置してもよい。発熱体５は、２つのヒータマウント５１を用いて本体１の内部に固定されると共に、制御回路３０に電気的に接続される。好ましくは、ヒータマウント５１は、耐高温のエンジニアリングプラスチックからなり、耐高温性を有すると共に、高温が本体１に伝わることを抑制することができる。本体１内部には、リモコン基板４０が設けられてもよい。リモコン基板４０は、電気ヒータ装置をリモコン方式で制御することができるように、制御回路３０に電気的に接続される。
【００２１】
本考案に係る電気ヒータ装置は、天井又は壁等に取り付けることができる。使用時には、吸込口２１から気流を吸入するように、モータ４を用いて横流ファン３の回転を駆動することができる。吸入された気流は、発熱体５を介して加熱された後、吹出口１３から吹き出される。これにより、暖房効果を奏すると共に、空気の熱対流効果が良好となり、より好ましい暖房効果を奏することができる。また、本考案に係る電気ヒータ装置内には、温度センサが設けられてもよい。温度センサによって温度が高いことが検出されると、モータ４の回転速度を低下させ、発熱体５の温度を下げることができる。
【００２２】
本考案の本体１（底板１１及び前板１２を含む）は、アルミニウム押出部材であるため、耐高温性を有し、発熱体５の発熱温度が制限されず、好ましい暖房効果を提供することができる。
【００２３】
更に、本考案に係る電気ヒータ装置は、使用上の需要に対応して、異なる長さの電気ヒータ装置に組み立てることができるように、モジュール化の構成を採用している。また、本体１がアルミニウム押出部材であるため、剛性が十分で、強度が高く、破損しにくく、且つ重さが軽く、運送するのに便利である。また本考案は、横流ファン３を用いて気流を駆動することで、騒音が発生するのを抑制することもできる。本考案は、吹出口１３が本体１に設けられ、吸込口２１がパネル２に設けられ、吹出口１３及び吸込口２１が電気ヒータ装置の対向する両側に位置し、吹出口１３及び吸込口２１が異なる方向に向いていることから、空気の熱対流効果が良好であり、より好ましい暖房効果を奏することができる。
【００２４】
また、本考案の保護ネット２０は、本体１に係合設置されることができ、パネル２も本体１に係合設置されることができるため、ネジロックを必要としない効果を達成することができ、分解及び組立に便利である。
【００２５】
＜第２の実施例＞
図６及び図７に示すように、本実施例において、本体１は更に、スタンド５０に固定される。本体１は、本考案に係る電気ヒータ装置を机や床に置くことができるように、ネジ５０１によるロック等の方式を用いてスタンド５０に固定されることができる。
【００２６】
＜第３の実施例＞
図８及び図９に示すように、本実施例において、一部の部材の外形を変更することができる。本体１内には、電気制御ボックス６０が更に設けられている。好ましくは、電気制御ボックス６０はプラスチック材質からなるが、それに限定されない。電気制御ボックス６０は、中空ケーシングであり、リモコン基板４０が電気制御ボックス６０内に収容されることで、リモコン基板４０を絶縁及び保護する効果を奏する。更に、底板１１の外側には、係合又はネジロック等の方式により、背板７０が設けられている。背板７０は、電気ヒータ装置の背面を覆うのに用いられ、本考案に係る電気ヒータ装置が外観上好ましい完全性を有するようにすることができる。
【００２７】
以上は本考案の好ましい実施例を述べたものに過ぎず、本考案の範囲を限定するものではない。従って、本考案の明細書及び図面に基づいて為された等価の変更は、すべて本考案の実用新案登録請求の範囲に含まれる。
【符号の説明】
【００２８】
１      本体
１１    底板
１２    前板
１３    吹出口
１４    スライドレール
１５    第２の係合部
１６    第４の係合部
１７    凹部空間
２      パネル
２１    吸込口
２２    第３の係合部
２３    フィルタ
３      横流ファン
３１    羽根
４      モータ
５      発熱体
５１    ヒータマウント
６      側板
７      サイドカバー
８      掛止板
８１    スライド溝
９      立板
２０    保護ネット
２０１  貫通孔
２０２  第１の係合部
３０    制御回路
４０    リモコン基板
５０    スタンド
５０１  ネジ
６０    電気制御ボックス
７０    背板
【図１】
0003194324.tif 000003
【図２】
0003194324.tif 000004
【図３】
0003194324.tif 000005
【図４】
0003194324.tif 000006
【図５】
0003194324.tif 000007
【図６】
0003194324.tif 000008
【図７】
0003194324.tif 000009
【図８】
0003194324.tif 000010
【図９】
0003194324.tif 000011